(57)【要約】【課題】米飯を取り扱う場合であっても、作業効率を向上させることができる食品用手袋を提供することを目的としている。【解決手段】食品用手袋本体１０と、食品用手袋本体１０の掌部１１の表面１１ａに形成される複数の微細な第１突起部１１０ａと、各第１突起部１１０ａ夫々に形成される複数の微細な第２突起部１１０ｂとを有してなることを特徴としている。【選択図】図１
2016113717.tif 000002
【特許請求の範囲】
【請求項１】
食品用手袋本体と、
前記食品用手袋本体の掌面に形成される複数の微細な第１突起部と、
前記各第１突起部夫々に形成される複数の微細な第２突起部とを有してなる食品用手袋。
【請求項２】
前記食品用手袋本体は、人の手首に密着する絞部が形成されてなる請求項１に記載の食品用手袋。
【発明の詳細な説明】
【技術分野】
【０００１】
本発明は、食品（特に、米飯）を取り扱う際に使用される食品用手袋に関する。
【背景技術】
【０００２】
従来、食品を手で直接取り扱う食品用手袋として、ゴム手袋や、プラスチック手袋、またはプラスチックフィルムを手袋の形状に製袋してなる手袋が弁当におかずを詰める場合などに広く用いられている（例えば、特許文献１）。
【先行技術文献】
【特許文献】
【０００３】
【特許文献１】特開２００２−３１７３２０号公報
【発明の概要】
【発明が解決しようとする課題】
【０００４】
しかしながら、上記のような食品用手袋は、米飯を取り扱う際、米粒が当該食品用手袋にくっ付いてしまい、作業の低下を招いてしまうという問題があった。
【０００５】
そこで本発明は、上記問題に鑑み、米飯を取り扱う場合であっても、作業性を向上させることができる食品用手袋を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１に係る食品用手袋は、食品用手袋本体（１０）と、
前記食品用手袋本体（１０）の掌面に形成される複数の微細な第１突起部（１１０ａ）と、
前記各第１突起部（１１０ａ）夫々に形成される複数の微細な第２突起部（１１０ｂ）とを有してなることを特徴としている。
【０００８】
また、請求項２に係る食品用手袋は、上記請求項１に記載の食品用手袋において、前記食品用手袋本体（１０）は、人の手首（Ｈｂ）に密着する絞部（１２）が形成されてなることを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１に係る食品用手袋によれば、作業者が米飯を取り扱ったとしても、食品用手袋本体（１０）の掌面に形成されている複数の微細な第１突起部（１１０ａ）によって、掌面へ米粒（Ｋ）がくっ付いてしまう事態を低減することができる。そしてさらには、各第１突起部（１１０ａ）夫々に形成される複数の微細な第２突起部（１１０ｂ）によって、第１突起部（１１０ａ）へ米粒（Ｋ）がくっ付いてしまう事態を低減することもできる。
【００１１】
したがって、本発明によれば、作業者が、食品用手袋（１）を用いて、米飯を取り扱った作業を行なったとしても、掌面から米粒（Ｋ）が離れやすくなり、もって、作業性が向上することとなる。
【００１２】
また、請求項２に係る食品用手袋によれば、食品用手袋本体（１０）に人の手首（Ｈｂ）に密着する絞部（１２）が形成されているから、食品用手袋（１）が作業者の手（Ｈ）に密着し易くなり、もって、作業性が向上することとなる。
【図面の簡単な説明】
【００１３】
【図１】（ａ）は本発明の一実施形態に係る食品用手袋内に作業者の手が挿入された状態で掌面を表向きにした正面図、（ｂ）は（ａ）に示すＸ部分の拡大図、（ｃ）は（ａ）に示すＡ−Ａ線拡大断面図である。
【発明を実施するための形態】
【００１４】
以下、本発明に係る食品用手袋の一実施形態について、図１を参照して具体的に説明する。なお、以下の説明において、上下左右の方向を示す場合は、図示正面から見た場合の上下左右をいうものとする。
【００１５】
図１（ａ）に示すように、本実施形態に係る食品用手袋１は、食品用手袋本体１０を備え、この食品用手袋本体１０は、基材が熱可塑性エラストマー等より形成され、内部に作業者の手Ｈが挿入可能なように手袋状になっている。そして、このように形成される食品用手袋本体１０は、図１（ａ）に示すように、掌部１１と、絞部１２と、開口部１３とで構成されている。
【００１６】
掌部１１は、図１（ａ）に示すように、作業者の手Ｈの掌Ｈａ部分を、その形状に沿って全て覆うことができるように形成されており、その表面にダブルエンボス加工が施されている。これにより、掌部１１の表面には、図１（ｂ）に示すように、肉眼では視認できない複数の微細な突起部１１０が形成されている。より具体的に説明すると、この突起部１１０は、図１（ｃ）に示すように、微細な第１突起部１１０ａと、その第１突起部１１０ａよりさらに微細な第２突起部１１０ｂとで構成されている。第１突起部１１０ａは、幅Ｗ１（例えば、約３５０μｍ）で形成されると共に、掌部１１の表面１１ａ上に、一体的に、所定間隔Ｗ２（例えば、約５０μｍ）置きに複数設けられている。これにより、図１（ｃ）に示すように、掌部１１の表面１１ａ上に、一体的に、複数の第１突起部１１０ａが設けられることとなる。
【００１７】
一方、第２突起部１１０ｂは、幅Ｗ１０（例えば、約５μｍ）で形成されると共に、第１突起部１１０ａの表面１１０ａ１上に、一体的に、所定間隔Ｗ１１（例えば、約１５μｍ）置きに設けられている。これにより、図１（ｃ）に示すように、第１突起部１１０ａの表面１１０ａ１上に、一体的に、複数の第２突起部１１０ｂが設けられることとなる。
【００１８】
他方、絞部１２は、図１（ａ）に示すように、掌部１１の下端部に一体的に成型され、作業者の手Ｈの手首Ｈｂ部分が食品用手袋本体１０部分と密着するように絞り状に成型されている。これにより、食品用手袋１が作業者の手Ｈに密着し易くなり、もって、作業性が向上することとなる。
【００１９】
また、開口部１３は、絞部１２の下端部に一体的に形成され、作業者の手Ｈが食品用手袋本体１０内に挿入可能なように開口されている。
【００２０】
かくして、上記のように構成される食品用手袋１は、次のように作業者に使用される。すなわち、まず、作業者は、開口部１３より、手Ｈを食品用手袋本体１０内に挿入する。これにより、食品用手袋本体１０内に、作業者の掌Ｈａ及び手首Ｈｂ並びに腕Ｈｃ（図１（ａ）参照）の一部が挿入されることとなり、もって、図１（ａ）に示すように、人間の手Ｈに食品用手袋１が装着されることとなる。
【００２１】
この状態で、作業者は、米飯を取り扱う。この際、図１（ｃ）に示すように米粒Ｋは、幅Ｗ２０（例えば、約７０００μｍ），高さＨ（例えば、約３０００μｍ）で形成されている。一方、食品用手袋１の掌部１１の表面１１ａ上には、米粒Ｋの幅Ｗ２０よりも幅狭（Ｗ１参照）な第１突起部１１０ａが複数形成されると共に、その第１突起部１１０ａ間の間隔（Ｗ２参照）も、米粒Ｋの幅Ｗ２０よりも幅狭に形成されている。これにより、掌部１１の表面１１ａ上に米粒Ｋが接触する接触面積が著しく低減されることとなるから、掌部１１の表面１１ａ上に米粒Ｋがくっ付いてしまう事態を低減することができる。さらには、その第１突起部１１０ａの表面１１０ａ１上に、第１突起部１１０ａの幅Ｗ１よりも幅狭（Ｗ１０参照）な第２突起部１１０ｂが複数形成されることにより、第１突起部１１０ａの表面１１０ａ１上に米粒Ｋが接触する接触面積が著しく低減されることとなるから、第１突起部１１０ａの表面１１０ａ１上に米粒Ｋがくっ付いてしまう事態も低減させることができる。
【００２２】
しかして、本実施形態によれば、作業者が、食品用手袋１を用いて、米飯を取り扱った作業を行なったとしても、掌部１１から米粒Ｋが離れやすくなり、もって、作業性が向上することとなる。
【００２３】
なお、本実施形態に示した形状・寸法等はあくまで例示であり、特許請求の範囲に記載された本発明の要旨の範囲内において、種々の変形・変更が可能である。
【符号の説明】
【００２４】
１          食品用手袋
１０        食品用手袋本体
１１        掌部
１２        絞部
１１０ａ    第１突起部
１１０ｂ    第２突起部
Ｈ          （作業者の）手
Ｈａ        （作業者の）掌
Ｈｂ        （作業者の）手首
Ｋ          米粒
【図１】
2016113717.tif 000003